(57)【特許請求の範囲】
【請求項１】
非接触データキャリアがカード挿入口から挿入され、所定位置に搬送されることにより前記非接触データキャリアの記憶情報を書き換えるようにしたデータキャリアの端末装置において、前記カード挿入口付近に設けられ、挿入された前記非接触データキャリアとの交信を行うアンテナ部と、該アンテナ部より前記カード挿入口側から見て後方に配置され、前記非接触データキャリアが所定位置まで搬送されたことを検知する検知手段と、該検知手段により前記非接触データキャリアを検知すると、当該非接触データキャリアをロックするロック手段と、表示部と、前記アンテナ部と交信可能な位置まで前記非接触データキャリアが挿入されると、交信を開始して前記非接触データキャリアの認証および記憶情報の読込を行い、当該記憶情報を読み込んだ時点で前記表示部に挿入された前記非接触データキャリアの残高表示を行い、その後、所定位置まで前記非接触データキャリアが搬送されると、前記検知手段により前記非接触データキャリアを検知することにより前記ロック手段により前記非接触データキャリアを所定位置に保持し、当該非接触データキャリアの記憶情報の書き換えを行う制御手段を備えたことを特徴とする非接触データキャリアの端末装置。
【請求項２】
請求項１に記載の非接触データキャリアの端末装置において、取引履歴印刷ボタンと、印刷発行手段とを設け、前記非接触データキャリアの記憶情報を読み込んだ時点で前記取引履歴印刷ボタンを押すことにより、取引履歴を印刷して発行することを特徴とする非接触データキャリアの端末装置。
【発明の詳細な説明】
【技術分野】
【０００１】
本発明は、例えば、貨幣価値情報（電子マネー）として機能する非接触データキャリアを使用して商品を購入するときに使用する決済端末、あるいは非接触データキャリアへの入金機などに適用する非接触データキャリアの端末装置に関する。
【背景技術】
【０００２】
近年、非接触データキャリアとして、非接触ＩＣカード等の記憶媒体に貨幣価値情報（電子マネー）を記録しておき、当該非接触ＩＣカードによって、例えば、自動販売機にて商品の購入、あるいはサービスの提供に関する決済を行う決済端末が普及している。
また、この種の非接触ＩＣカードにおいては、記録した貨幣価値情報の残高が少なくなると、商品の購入、サービスの提供に関する決済ができなくなるため、貨幣を入金することにより貨幣価値情報を非接触ＩＣカードに積み増すことのできる入金機が普及している。
そこで、入金機を例にして、従来の技術について説明すると、貨幣価値情報の積み増しに際しては、投入された紙幣を識別して収容する紙幣ユニットと、非接触ＩＣカードと交信して非接触ＩＣカードに紙幣の価値情報を記録する記録部とを備え、まず、非接触ＩＣカードを挿入口から入金機内部の所定位置に取り込んだ後に交信を開始し、その後、紙幣を挿入して、この挿入された紙幣を識別収容するとともに、収容した紙幣の価値に相当する貨幣価値情報を非接触ＩＣカードに記録する入金処理を実行する入金機が知られている（例えば、特許文献１参照）。
【特許文献１】特開２００３−３６４６６号公報
【発明の開示】
【発明が解決しようとする課題】
【０００３】
しかしながら、上記挿入式の入金機において、非接触ＩＣカードを入金機内部の所定位置に取り込んだ後に非接触ＩＣカードとの交信を開始していては、非接触ＩＣカードを用いる一つの特徴である高速処理を活かすことができず、処理速度が遅くなるという課題があった。
また、非接触ＩＣカードの残高照会などにおいても、非接触ＩＣカードを入金機内部の所定位置に取り込んだ後に非接触ＩＣカードとの交信を開始して残高表示を行うため、残高照会のみにおいても、処理時間が長くなり、利用者にとって利便性が少ないという課題があった。
【課題を解決するための手段】
【０００４】
上記の目的を達成するために、本発明は、非接触データキャリアがカード挿入口から挿入され、所定位置に搬送されることにより前記非接触データキャリアの記憶情報を書き換えるようにしたデータキャリアの端末装置において、前記カード挿入口付近に設けられ、挿入された前記非接触データキャリアとの交信を行うアンテナ部と、該アンテナ部より前記カード挿入口側から見て後方に配置され、前記非接触データキャリアが所定位置まで搬送されたことを検知する検知手段と、該検知手段により前記非接触データキャリアを検知すると、当該非接触データキャリアをロックするロック手段と、表示部と、前記アンテナ部と交信可能な位置まで前記非接触データキャリアが挿入されると、交信を開始して前記非接触データキャリアの認証および記憶情報の読込を行い、当該記憶情報を読み込んだ時点で前記表示部に挿入された前記非接触データキャリアの残高表示を行い、その後、所定位置まで前記非接触データキャリアが搬送されると、前記検知手段により前記非接触データキャリアを検知することにより前記ロック手段により前記非接触データキャリアを所定位置に保持し、当該非接触データキャリアの記憶情報の書き換えを行う制御手段を備えたことを特徴とする。
前記非接触データキャリアの端末装置において、取引履歴印刷ボタンと、印刷発行手段とを設け、前記非接触データキャリアの記憶情報を読み込んだ時点で前記取引履歴印刷ボタンを押すことにより、取引履歴を印刷して発行することを特徴とする。
【発明の効果】
【０００６】
本発明に係る非接触データキャリアの端末装置は、前記アンテナ部と交信可能な位置まで前記非接触データキャリアが挿入されると、交信を開始して前記非接触データキャリアの認証および記憶情報の読込を行い、当該記憶情報を読み込んだ時点で前記表示部に挿入された前記非接触データキャリアの残高表示を行い、その後、所定位置まで前記非接触データキャリアが搬送されると、前記検知手段により前記非接触データキャリアを検知することにより前記ロック手段により前記非接触データキャリアを所定位置に保持し、当該非接触データキャリアの記憶情報の書き換えを行う制御手段を備えたことにより、挿入式の端末装置においても、処理速度が向上し、高速処理が可能となるという効果を奏するものである。
また、書き込みをしない処理である残高照会などは、非接触データキャリアをロック位置まで搬送させなくても表示可能となり、処理時間の短縮が図れ、利用者にとっても、残高照会がすばやく行えるため、待ち時間が短縮できるとの効果を奏するものである。
さらに、取引履歴についても、残高照会と同様である。
【発明を実施するための最良の形態】
【０００７】
以下に添付図面を参照して、本発明に係る入金機の好適な実施例を詳細に説明する。なお、この実施例によりこの発明が限定されるものではない。
以下に添付図面を参照して、本発明に係る非接触データキャリアの端末装置を入金機に適用した際の実施の形態について説明する。
図３は、入金機３１の一例を示す概略正面図を示したものである。
図３において、３１は挿入式の入金機であり、入金機３１に使用できる非接触データキャリアとして非接触ＩＣカード１を採用している。
この非接触ＩＣカード１は、図示しないＩＣチップと、当該ＩＣチップに接続したコイル状アンテナとを有している。
【０００８】
その詳細構成として図示はしないが、このＩＣチップは、記憶部、送受信部および電源整流部を有しており、記憶部には、積み増し日時、積み増した貨幣価値情報、商品の購入、サービスの提供に際して行った決済情報、残高情報等の情報が記憶してあり、送受信部は後述するリーダライタと情報の送受信を行う部分であり、電源整流部はリーダライタが送信した所定の電波によってコイル状アンテナの共振作用で発生した起電力を、ＩＣチップの作動電力として得る部分である。
図３に示す非接触ＩＣカード１の入金機３１は、その前面に、非接触ＩＣカード１内の金額情報などを表示するＬＣＤ表示部３２、非接触ＩＣカード１を挿入するＩＣカード挿入口３３、紙幣を投入する紙幣投入口３４、硬貨を投入する硬貨投入口３５、硬貨返却口３５ａ、全ての入金が完了した時点で操作するための終了ボタン３６、カードの取引履歴印刷用の取引履歴印刷ボタン３７、領収書を発行用の領収書印刷ボタン３８、印刷された取引履歴および領収書を発行する発行口３９がそれぞれ設けてある。
【０００９】
次に、図４はＩＣカードリーダライタ部４１の概略構成を示す図であり、カード挿入口３３から挿入された非接触ＩＣカード１を所定位置まで搬送するカード搬送路４２には、アンテナ部４１ａ、非接触ＩＣカード１が所定位置まで搬送されたことを検知するカード保留完センサ４３、非接触ＩＣカード１が書き換え処理中に抜き取られないようにするためのロック機構４４がそれぞれ設けてある。
次に、図１は、本発明を実施するための入金機３１の構成を示すブロック図である。
２は、主制御部であり、主制御部２は記憶部２ａを有しており、主制御部２には、アンテナ部４１ａを有するＩＣカードリーダライタ４１、紙幣投入口３４に投入された紙幣を収容して識別する紙幣識別装置３、硬貨投入口３５に投入された硬貨を収容して識別する硬貨識別装置４、各種設定値を入力するためのキーボード５、印刷物の発行ユニット６、ＬＡＮ７などのネットワークを介してサーバーであるセンタ装置８が接続してあり、この他に、ＬＣＤ表示部３２、終了ボタン３６、取引履歴印刷ボタン３７、領収書印刷ボタン３８などが接続してある。
【００１０】
ＩＣカードリーダライタ４１は、アンテナ４１ａを介して非接触ＩＣカード１と情報の送受信が可能である。すなわち、ＩＣカードリーダライタ４１は、アンテナ４１ａを介して所定の電波を発信し、非接触ＩＣカード１のコイル状アンテナに起電力を生じさせて、ＩＣチップの作動電力にする。この作動電力により、ＩＣチップに記録してある残高情報および取引履歴などはＩＣカードリーダライタ４１に送信され、ＩＣカードリーダライタ４１は残高情報および取引履歴などを取得する。一方、入金された紙幣の価値に相当する価値情報、入金日時などの入金情報はＩＣカードリーダライタ４１がアンテナ４１ａを介して非接触ＩＣカード１に送信してＩＣチップに記憶する。
なお、カード保留完センサ４３、ロック機構４４もＩＣカードリーダライタ４１に接続してある。
【００１１】
また、入金機３１の主制御部２は、ＬＡＮ７を介してセンタ装置８との間でデータの送受信が可能であり、入金機３１からは、入金情報および記憶部２ａに記憶してある各種データなどをセンタ装置８に送信する。
この構成において、図２のフローチャートを用い、入金機３１の処理について説明する。
まず、非接触ＩＣカード１を受入れ可能であることをＬＣＤ表示部３２にて表示し、この状態で、アンテナ部４１ａにポーリング指令が送信されており（ステップＳ１）、非接触ＩＣカード１の受入れ待ち状態となっている（ステップＳ２）。
このステップＳ２にて、非接触ＩＣカード１がＩＣカード挿入口３３に挿入され、ポーリング応答があったとすると（ステップＳ２，ＹＥＳ）、カード挿入口３３に非接触ＩＣカード１が挿入されたとして、アンテナ部４１ａを介してＩＣカーダリーダライタ４１との間で所定の認証を行い、受入れ可能な非接触ＩＣカード１であると判断とすると（ステップＳ３，ＹＥＳ）、主制御部２は、非接触ＩＣカード１に記録してある残高情報および取引履歴を取得して（ステップＳ４）、当該残高情報をＬＣＤ表示部３２に表示する（ステップＳ５）。
【００１２】
次に、非接触ＩＣカード１の保留完センサ４３がオンする前に入金有りかを判断し（ステップＳ６）、入金有りの場合（ステップＳ６，ＹＥＳ）、ステップＳ７にて、カード保留完センサ４３がオンかを判断する。カード保留完センサ４３がオンすると（ステップＳ７，ＹＥＳ）、ロック機構４４が作動して非接触ＩＣカード１を所定位置にて保持する（ステップＳ８）。
この状態で、入金がある度に非接触ＩＣカード１にＩＣカードリーダライタ４１のアンテナ部４１ａを介して非接触ＩＣカード１に書き込みを行うとともに（ステップＳ９）。ＬＣＤ表示部３２の残高表示も入金毎に更新する。この入金から非接触ＩＣカード１への書き込みまでの処理をステップＳ１０の終了ボタン３６が押されるまで繰り返し、終了ボタン３６が押されると（ステップＳ１０，ＹＥＳ）、ロックを解除して、非接触ＩＣカード１をカード挿入口３３に返却する（ステップＳ１１）。
【００１３】
このように、入金処理に関し、非接触ＩＣカード１を所定位置にてロックする前に認証および読込が完了しているため、処理時間が短縮できる。
次に、ステップＳ６にて入金せずに（ステップＳ６，ＮＯ）、取引履歴印刷ボタン３７が押されると（ステップＳ１２，ＹＥＳ）、非接触ＩＣカード１の当該カードにおける取引履歴が印刷され、発行口３９から出力されて（ステップＳ１３）、処理を終了する。
この履歴印刷時には、非接触ＩＣカード１を保留させる必要はなく、利用者は非接触ＩＣカード１を手に持ったまま取引履歴印刷をすることが可能であるため、処理時間が短縮できる。
次に、ステップＳ６にて入金無しであって（ステップＳ６，ＮＯ）、続いて、ステップＳ１２にて履歴印刷ボタン３７が押されずに（ステップＳ１２，ＮＯ）、終了ボタン３６が押されると（ステップＳ１４）、をＬＣＤ表示部３２に表示した非接触ＩＣカード１の残高を非表示として処理を終了することで、終了ボタン３６が押されるまではＬＣＤ表示部３２に表示する。
【００１４】
なお、残高照会時には、非接触ＩＣカード１を所定位置にてロックせずに所定時間経過にて処理を終了させることで、終了ボタン３６の動作を省略することも可能である。
このように、残高照会時にも、非接触ＩＣカード１を保留させる必要はなく、利用者は非接触ＩＣカード１を手に持ったまま処理をすることが可能であるため、処理時間が短縮できる。
このように、本実施の形態によれば、非接触ＩＣカードをロックする時点で、既に認証およびカードの読込を完了しているため、入金処理が短時間で行えるものである。
また、取引履歴印刷あるいは残高照会の場合には、非接触ＩＣカードをロックする必要は無く、利用者は非接触ＩＣカードを持ったまま処理が可能となるため、処理時間が短縮できる。
【００１５】
この実施形態においては、入金専用機にて説明したが、挿入式であれば、自動販売機などに組み込んでもよく、また、非接触ＩＣカードにて説明したが、挿入式であれば、何れのデータキャリアでも採用可能となる。
さらに、処理実行にボタンを用いているが、ＬＣＤ表示部３２にタッチパネル機能を組み込むようにしてもよい。また、取引履歴印刷ボタンと領収書印刷ボタンとは兼用することも可能である。
【図面の簡単な説明】
【００１６】
【図１】本発明の入金機の構成を示すブロック図である。
【図２】本発明の実施形態の処理を説明するフローチャートである。
【図３】本発明の入金機の正面図である。
【図４】本発明のＩＣカードリーダライタの概略構成図である。
【符号の説明】
【００１７】
１      非接触ＩＣカード
２      主制御部
３１      入金機
３２      ＬＣＤ表示部
３３      ＩＣカード挿入口
３４      紙幣投入口
３５      硬貨投入口
３６      終了ボタン
３７      履歴印刷ボタン
４１    ＩＣカードリーダライタ
４１ａ  アンテナ部
４３    カード保留完センサ
４４    ロック機構
【図１】
0004788282.tif 000002
【図２】
0004788282.tif 000003
【図３】
0004788282.tif 000004
【図４】
0004788282.tif 000005